(57)【要約】      （修正有）【課題】商品に付された商品情報を目視しつつ確実に読み取れるようにすると共に、商品をわずかに上方に持ち上げて移動するだけで商品情報を読み取れるようにする。【解決手段】キャッシュレジスタは、バーコードが付された商品２７，２８が載置可能であり目印が描かれた商品載置部と、商品載置部の上方に配置された筐体１３及び立設部とで構成され、筐体１３にその読取範囲を前記商品載置部の上側とし、商品に付されたバーコードを読み取るＣＣＤ個体撮像素子を備えた撮像装置を備えている。【選択図】図２
2007316695.tif 000002
【特許請求の範囲】
【請求項１】
商品情報が付された商品が載置される商品載置部と、
商品載置部の上方に配置され商品取引のためのインターフェイス機能を備えたデータ処理装置本体部と、
この装置本体部に設けられ、読取範囲を前記商品載置部の上側として配置され、商品に付された商品情報を読み取る商品情報読取装置と、
を備えることを特徴とする商品販売データ処理装置。
【請求項２】
前記データ処理装置本体部は前記商品載置部の端部に立設された支柱で支持されて配置されることを特徴とする請求項１記載の商品販売データ処理装置。
【請求項３】
前記商品情報読取装置は、エリアイメージセンサを備えた電子撮像装置であることを特徴とする請求項１又は２記載の商品販売データ処理装置。
【請求項４】
前記商品載置部には、前記商品情報読取装置の読取範囲を示す目印が表示されていることを特徴とする請求項１ないし３のいずれか記載の商品販売データ処理装置。
【発明の詳細な説明】
【技術分野】
【０００１】
本発明は、商品販売データ処理装置に係り、特にバーコードなどの商品情報が付された商品を容易に商品情報の読取位置に配置することができる商品販売データ処理装置に関する。
【背景技術】
【０００２】
商品販売データ処理装置としてＰＯＳシステムの入力端末があり、このような入力端末としてのキャッシュレジスタが特許文献１及び特許文献２に記載されている。
【０００３】
図３は特許文献１に記載されたキャッシュレジスタを示すものである。このキャッシュレジスタ３０は、読取窓３５を上向きに配置した商品データ読取装置３１、キーボード３２、及び、ドロア３９をキャッシュレジスタ本体３６に配設し、レシート発行用プリンタ３４及び前記表示部３３を前記キャッシュレジスタ本体３６から立設された支柱３７により支持して読取窓３５の上側に商品データ読取装置３１の読取領域を設けることにより、商品のバーコードを読み取るものである。
【０００４】
図４は特許文献２に記載されたキャッシュレジスタを示すものである。このキャシュレジスタ４０は、キーボード４２、表示部４３、レシート発行用プリンタ４４、客用表示部４５、及び、ドロワ４６をキャッシュレジスタ本体４１に設け、このキャッシュレジスタ本体４１の脇に取付プレート４７を介してスキャナ支持部材４８を立設し、前記スキャナ支持部材４８に読取方向が下向きのバーコード読取部４９と、商品情報読取位置を示すアーム部材５０とを配置したものである。
【０００５】
【特許文献１】特許第２５６１３５３号
【特許文献２】特許第２５４９４６６号
【発明の開示】
【発明が解決しようとする課題】
【０００６】
しかし、上述した特許文献１に記載の装置では、商品をキャッシュレジスタ本体３６より高く持ち上げ、かつ、商品に付されたバーコードを商品データ読取装置３１の読取窓３５にかざす必要がある。このため、読取を行う際には商品をキャッシュレジスタ本体３６の高さより高く持ち上げなければならないし、さらに、バーコードを下向きにしなければならないため、バーコードがオペレータに目視されないため、バーコードの配置位置を確認しにくいという問題がある。また、生鮮食料品などをトレイに収容しラップ掛けした商品については、バーコードを下向きにするにはトレイを上下逆向きにする必要があるため、食料品からの液体がラップ側に移動してしまうこととなる。
【０００７】
また、特許文献２に記載の装置では、バーコード読取部４９が、キャッシュレジスタ本体４１の横に取り付けられているため、キャシュレジスタ４０の設置に大きなスペースが必要となる他、商品のバーコードを読み取るには商品をバーコード読取部４９の下部で移動させることとなるから、商品の移動に際してキャッシュレジスタ本体４１が邪魔になることになる。
【０００８】
そこで本発明は、商品に付された商品情報を目視しつつ確実に読み取れるようにすると共に、商品情報の読取位置への商品の移動、読取位置からの商品の待避を円滑にできる商品販売データ処理装置を提供することを目的とする。
【課題を解決するための手段】
【０００９】
本発明において、上記の課題を解決するため、商品販売データ処理装置を、商品情報が付された商品が載置される商品載置部と、商品載置部の上方に配置され商品取引のためのインターフェイス機能を備えたデータ処理装置本体部と、このデータ処理装置本体部に設けられ、読取範囲を前記商品載置部の上側として配置され、商品に付された商品情報を読み取る商品情報読取装置と、を備えるものとした。
【発明の効果】
【００１０】
本発明によれば、商品販売データ処理装置に商品情報を登録するに際しては、商品に付された商品情報は、上方に向けた操作者の目視下において、商品情報読取装置により読み取ることができる。しかも、このとき、商品情報の読取位置への商品の移動経路、読取位置からの商品の待避経路に障害物がなく、商品の移動を円滑に行うことができる。
【発明を実施するための最良の形態】
【００１１】
以下、本発明に係る商品販売データ処理装置の実施の形態を図１及び図２に基づいて説明する。本例は商品販売データ処理装置をＰＯＳシステムの端末であるキャッシュレジスタに適用したものである。
【００１２】
図１は実施の形態に係るキャッシュレジスタの斜視図、図２は図１に示したキャッシュレジスタの縦断面図である。本例に係るキャッシュレジスタ１０は、商品載置部１７及び立設部１９を備えるキャッシュレジスタ本体部１１と、このキャッシュレジスタ本体部１１から立設配置された支柱部１２を備える。支柱部１２には、プリンタ１４及びＣＣＤ個体撮像素子などのエリアセンサ素子を用いた撮像装置２１、商品情報認識部２４を内蔵する筐体１３が配置され、この筐体１３には表示部１５及び客用表示部１６を備える。
【００１３】
この撮像装置２１は、その撮像方向を斜め下方とし、商品載置部１７上方の撮像領域Ｓを撮像するものであり、またその被写界深度を深いものとして、商品載置部１７の近傍から撮像装置２１に近傍まで撮像可能なものとしている。このため、撮像されるべき商品は、撮像領域Ｓ内であれば商品載置部１７上に配置されたものであっても撮像可能であるし、商品載置部１７の上方で中空に支持されるものであっても撮像可能である。
【００１４】
また、本例では、キャッシュレジスタ本体部１１は、上述したように商品載置部１７と立設部１９とから構成されている。本例では、商品載置部１７は、その内部に機能部材を配置することなく、薄厚に形成されており、その上側表面には目印１８が表示されている。
【００１５】
本例では、撮像装置２１は、上述のように撮像領域Ｓを撮像するものであり、目印１８はこの撮像領域Ｓに対応して楕円印１８ａと十字線１８ｂとで表示されている。従って、この目印１８内に配置された商品２７，２８に付されたバーコード２７ａ，２８ａなどの商品情報は、撮像装置２１により撮像されることとなる。
【００１６】
なお、本例では目印１８は商品載置部１７表面上に印刷して示すようにしたが、筐体１３から投影するようにしてもよい。
【００１７】
本例では、キャッシュレジスタ本体部１１の立設部１９には電源装置２２、他機器との電気的接続を行うインタフェースボード２３等が内蔵されている。また、筐体１３には、前記撮像装置２１の他、撮像装置２１からの画像データに基づいて、商品に付されたバーコード等の商品情報を切り出し抽出する商品情報認識部２４、ＣＰＵ、ＲＡＭ、ＲＯＭ等を備えキャッシュレジスタの制御機能をなす機器（図示していない）が配置されている。
【００１８】
なお、図中符号２５は表示部１５の表示装置、符号２６は表示部１５の表示装置を示している。
【００１９】
また、本例では、上記商品情報認識部２４は、撮像領域Ｓ内に複数の商品が配置された場合であっても、商品それぞれに付されたバーコードを認識する。また、商品情報認識部２４は、１取引のデータ処理中に、重複商品があった場合には、格納した商品データリスト中から重複したデータを除外する処理を行う。これにより、また、一つの商品のバーコードを認識した状態で他の商品を追加して配置した場合であっても、一つの商品のバーコードを認識した後他の商品のバーコードを認識する。
【００２０】
次にキャッシュレジスタ１０の作動について説明する。まず、キャッシュレジスタ１０のオペレータは、商品に付されたバーコードの位置を確認して、バーコードが上に向くようにして商品を商品載置部１７の目印１８内に配置する。この際、商品載置部１７は薄肉厚であるので商品をわずかに持ち上げるだけで目印１８内に配置できる。また商品の移動に際しては障害となる部材はなく円滑に商品を移動できる。
【００２１】
すると、本例に係るキャッシュレジスタ１０は、撮像装置２１が撮像領域Ｓの画像を撮像し、商品情報認識部２４が取得した画像から、商品に付されたバーコード画像を切り出し、バーコードの商品情報を抽出する。これにより、目印１８の範囲内に商品を配置するだけでバーコードの読取を行うことができる。
【００２２】
また、この例に係るキャッシュレジスタ１０によれば、１取引中に第１の商品を目印１８の範囲内に残したまま、第２の商品を目印１８の範囲内に配置した場合でも、第２の商品のバーコードを読み取ることができる。このため、読み取った商品を別の場所に置く必要がなく、少数の商品であれば、読み取った商品を置くためのスペースが不要になるという利点もある。
【００２３】
なお、上記例では、データ処理装置本体部として、筐体及び立設部を設けた場合を例として説明したが、データ処理装置本体部は商品載置部の上方に１個所にまとめて配置することができる。
【００２４】
また、商品載置部は、中空の構造として説明したが薄厚の板状の部材であってもよい。
【図面の簡単な説明】
【００２５】
【図１】本発明に係るキャッシュレジスタの構成を示す斜視図である。
【図２】図１に示したキャッシュレジスタの縦断面図である。
【図３】従来のキャッシュレジスタの構成を示す斜視図である。
【図４】従来のキャッシュレジスタの構成を示す斜視図である。
【符号の説明】
【００２６】
１０  キャッシュレジスタ，１３  筐体（データ処理装置本体部），１９  立設部（データ処理装置本体部），１８  目印，２１  撮像装置，２７ａ，２８ａ  バーコード（商品情報），２７，２８  商品
【図１】
2007316695.tif 000003
【図２】
2007316695.tif 000004
【図３】
2007316695.tif 000005
【図４】
2007316695.tif 000006